(57)【特許請求の範囲】
【請求項１】
酵母エキスの濃度が０．０５ｗｔ％以上１０ｗｔ％以下の酵母含有液体培地に植物の根を２４時間以上浸漬して、前記植物を栽培する酵母使用育成工程を含むことを特徴とする植物栽培方法。
【請求項２】
前記酵母使用育成工程を前記植物の成熟期に行う請求項１に記載の植物栽培方法。
【請求項３】
前記酵母含有液体培地を５５℃以上７０℃以下に加熱処理する請求項１又は請求項２に記載の植物栽培方法。
【請求項４】
前記加熱処理により殺菌された前記酵母含有液体培地を１０℃以上２５℃以下に冷却する請求項３に記載の植物栽培方法。
【請求項５】
前記植物は、葉物野菜である請求項１から請求項４のいずれかに記載の植物栽培方法。
【請求項６】
前記葉物野菜は、アブラナ科、キク科、及び、アカザ亜科からなる群から選択される少なくとも１種の植物である請求項５に記載の植物栽培方法。
【発明の詳細な説明】
【技術分野】
【０００１】
本件発明は、植物栽培方法に関する。
【背景技術】
【０００２】
近年、人体の健康維持や改善を図る上で必要な、タンパク質、ビタミンＢ群、ビタミンＤ、アミノ酸、ミネラル等の栄養素を豊富に含む葉酸が注目されている。この葉酸には、胎児の二分脊椎症予防認知症の予防、造血作用、脳の機能回復等様々な効能があるとされている。そして、葉酸の摂取量が少ないと、口腔の炎症、肌荒れ、疲労感等の症状が起こり、悪性貧血や動脈硬化を引き起こす恐れもある。そのため、葉酸は日常的に摂取することが好ましいが、日常食で必要十分な量の葉酸を摂取するにはレバー、鰻、野菜等の葉酸を含む食品を多量に摂取しなければならず、継続することが困難である。
【０００３】
なお、日常において、葉酸を必要十分な量摂取するに際して最も手軽で簡単な方法としてサプリメントの利用が挙げられるが、人工的に作られたサプリメントの葉酸は、体内への吸収量が大きく、発癌や喘息発症のリスクが高くなることが知られている。よって、葉酸を摂取するにあたっては、サプリメントに依存するよりも普段の食事で摂取することが安全面及び栄養面を考慮すると望ましい。また、野菜等の食材中には、葉酸以外にもビタミンやミネラル等の人体に有効とされる成分が豊富に含まれており、総合的な栄養素の摂取が可能である。以上のことから、近年、食用植物に葉酸を高濃度で含有させる試みがなされている。
【０００４】
例えば、特許文献１には、葉酸を高濃度に含有する食用植物体及びその製造法を提供するという目的を達成するための葉酸含有食用植物体の製造方法および葉酸含有スプラウトについて開示がされている。具体的には、特許文献１の葉酸含有食用植物体の製造方法は、「葉酸を含有する食用植物体を製造する方法であって、１０〜２５℃の範囲の温度において、葉酸を０．１〜１質量％の濃度で含有し、ｐＨが５．８〜６．３である水溶液に、前記食用植物体の一部を常時または断続的に浸漬し、前記食用植物体の残部は、前記食用植物体が蒸散作用し得るように前記葉酸含有水溶液の外に常時または断続的に維持して、葉酸を２００μｇ／１００ｇフレッシュウェィト（ＦＷ）以上含有する食用植物体を得ることを特徴としたもの」である（特許文献１の請求項１等参照のこと。）。
【先行技術文献】
【特許文献】
【０００５】
【特許文献１】特開２０１１−１８２６７２号公報
【発明の概要】
【発明が解決しようとする課題】
【０００６】
しかしながら、特許文献１に開示の葉酸含有食用植物体の製造方法は、植物の根を浸漬させる水溶液が、葉酸濃度が０．１〜１質量％の高濃度な葉酸液を使用するため、作業者の発癌や喘息発症のリスクが高くなることに加え、短時間で根腐れが生じたり植物が弱体化する等の問題がある。
【０００７】
また、特許文献１に開示の葉酸含有食用植物体の製造方法のような濃度調整が必要とされる葉酸は、一般的に石油系等の材料を用いて化学的に合成されたもの（プテロイルグルタミン酸）が使用されるが、このような人工的に製造された葉酸を溶解して作製される水溶液を用いた場合には、ここで用いる葉酸のコスト等を勘案すると栽培コストの低減化を図ることが困難である。
【０００８】
また、特許文献１に開示の葉酸含有食用植物体の製造方法では、葉酸液のｐＨが５．８〜６．３に設定されるが、葉酸は酸性領域では溶解度が小さいため、当該葉酸液のｐＨが酸性に傾くほど葉酸が析出し易くなり、葉酸を０．１〜１質量％の濃度で含有させるに際して当該葉酸液のｐＨ管理が非常にシビアとなる。
【０００９】
そこで本件発明では、上述した問題に鑑み、栽培する植物の葉酸含有量を高めると共に、栽培コストの低減化を図ることのできる植物栽培装置、植物、植物栽培方法、及び、培地を提供することを目的とする。
【課題を解決するための手段】
【００１０】
本件発明に係る植物栽培装置は、植物を生育するための酵母を含む培地を収容する培養容器を備えていることを特徴とする。
【００１１】
本件発明に係る植物は、酵母を含む培地を用いて栽培されていることを特徴とする。
【００１２】
本件発明に係る植物栽培方法は、酵母を含む培地を用いて植物を生育する酵母使用育成工程を含んでいることを特徴とする。
【００１３】
本件発明に係る培地は、植物を生育するための培地であって、酵母を含むことを特徴とする。
【発明の効果】
【００１４】
本件発明に係る植物栽培装置、植物、植物栽培方法、及び、培地によれば、栽培する植物の葉酸含有量を高めると共に、栽培コストの低減化を図ることが可能である。
【図面の簡単な説明】
【００１５】
【図１】本件発明に係る植物栽培装置の一実施形態における構成を例示した図である。
【図２】図１に示す植物栽培装置を設置した植物工場の概略断面図である。
【発明を実施するための形態】
【００１６】
以下、本件発明に係る植物栽培装置、植物、植物栽培方法、及び、培地の一実施形態について説明する。
【００１７】
〔植物工場の構成〕
まず、本実施形態に係る植物工場について、図２を参照して説明する。図２は、本実施形態に係る植物工場１００の概略を示す断面図である。図２に示すように、植物工場１００は、その内部に植物栽培装置１が複数設置された構成となっている。植物栽培装置１は、植物２０を育成する培養容器２を多段に積み重ねて多段栽培を行うものとして示されているが、これに限定されるものではない。
【００１８】
本実施形態では、植物工場１００が、人工照明５が用いられ且つ温度を含めた環境条件を人工的に制御する完全制御型植物工場である場合を例に挙げて説明する。植物栽培装置１は、完全制御型植物工場内に設置されることで、外部と切り離された閉鎖的空間において植物の栽培を完全に制御して行うことができ、植物の大量生産が可能となる。
【００１９】
なお、植物工場１００において人工照明の設けられる場所は特に限定されるものではない。本実施形態では人工照明５が植物工場１００の備える植物栽培装置１に設けられている場合を例に挙げて説明するが、例えば、人工照明が植物工場１００の天井に設けられていてもよい。
【００２０】
本件発明に係る植物工場１００は、完全制御型植物工場に限定されるものではなく、例えば、太陽光を前記植物に照射する採光部を備えた太陽光利用型植物工場であってもよい。植物栽培装置１を太陽光型植物工場内に設置した場合には、果実を食用とする野菜（果菜類）の栽培に有利となる。また、植物の栽培に太陽光エネルギーを利用することで、植物の栽培コストの低減化を図ることが可能となる。
【００２１】
植物栽培装置１は、植物工場１００内に設置されることにより、光や温度を含めた環境条件を人為的にコントロールすると共に、無農薬で植物を栽培することが可能となり、栄養価が高く美味しい植物を提供することが可能となる。また、植物工場１００で植物を栽培することで、季節や場所にあまりとらわれずに植物を連続生産することができるため、悪天候や耕地不足に悩まされることもなくなり、また、栽培工程を定量化することにより栽培コストを大幅に削減することもできる。
【００２２】
〔植物栽培装置の構成〕
次に、本実施形態に係る植物栽培装置１の構成について、図１を参照して説明する。図１は、本実施形態に係る植物栽培装置１の構成を示す図である。図１に示すように、本実施形態に係る植物栽培装置１は、培養容器２、植物支持パネル４、人工照明５、及び、液体培地回路１０を備えている。また、液体培地回路１０は、液体培地タンク６、ポンプ７、加熱装置８、温度センサ８ａ、冷却装置９、温度センサ９ａ、及び、開閉バルブ１１を備えている。そして、培養容器２には液体培地３が収容されており、液体培地３により植物２０が育成される。
【００２３】
（培養容器および培地）
本実施形態に係る培地は、植物を生育するための培地であって、酵母を含んでいる。なお、以降では、図１に示すように培地が液体培地３である場合を例に挙げて説明するが、本件発明に係る培地はこれに限定されるものではなく、例えば土壌等の固体培地であってもよい。
【００２４】
また、液体培地３が含んでいる酵母は、清酒酵母やビール酵母等の醸造用酵母、パン酵母、ワイン酵母、味噌醤油酵母等の一般的に食品や食品の製造に用いられる酵母であれば良く、特に制限されない。また、酵母は、その形態として、乾燥酵母や液状酵母の他に、酵母エキス（液状、粉末状等）を含む。酵母には、葉酸、ビタミン、ミネラル等の成分が豊富に含まれており、培地に含ませることで葉酸の供給源として好適に用いることができる。
【００２５】
培地は、酵母を含むことで、栽培する植物の葉酸含有量を高め、酵母を含まない培地で栽培した植物の葉酸含有量の限界を超えた量の葉酸を含む植物を栽培することができる。また、培地に酵母が含まれることで、葉酸以外にもビタミンやミネラル等の人体に有効な成分を高濃度で含んだ植物を栽培することができる。また、培地は、葉酸供給源として自然物である酵母を含んでいることが好ましい。これによれば、従来の化学合成法で製造された葉酸を用いるよりも安い栽培コストでありながらも、高い濃度で葉酸を含む植物を栽培することが可能となる。
【００２６】
本件発明に係る植物栽培装置１は、植物を生育するための酵母を含む培地（本実施形態では液体培地３）を収容した培養容器２を備えている。ここで、当該培養容器に収容される液体培地３に関しては、上述した通りであるため、その説明を省略する。
【００２７】
本実施形態に係る植物栽培装置１は、培地として液体培地３を用いた水耕栽培を行うことで、固体培地を用いた土壌栽培を行う場合よりも培地の条件の制御が容易となる。また、植物栽培装置１は、液体培地３を用いることで、土壌栽培のように投与した肥料によって塩類濃度が高められ連作障害をもたらしたり、肥料が分解して生じる酸等が根に害を与える等の問題が生じない。更に、植物栽培装置１は、液体培地３を用いることで、根が液体培地の中を自由に伸びて当該液体培地３中の栄養成分や水を十分に吸収することができるため、生産性の向上を図ることが可能となり、また、清潔な栽培環境や作業の省力化を得ることが可能となる。
【００２８】
植物栽培装置１は、培養容器２に酵母を含む液体培地３を収容することにより、栽培する植物の葉酸含有量を高め、酵母を含まない培地で栽培した植物の葉酸含有量の限界を超えた量の葉酸を含む植物を栽培することができる。また、植物栽培装置１は、植物の根に吸収させる葉酸をはじめとした栄養成分の量をコントロールすることができ、これら栄養成分を植物に過剰供給してしまうことによる植物の生育阻害を招かない。また、植物栽培装置１は、培養容器２を備えることで、液体培地３のｐＨを適切な値に保持することができ、植物の生育管理が容易となる。
【００２９】
ちなみに、本実施形態では、培養容器２に収容する液体培地３は、ｐＨが５．５以上６．５以下に調整されることが好ましい。ここで、ｐＨが５．５未満の場合には、石灰、モリブデン、硫黄等の成分が根から吸収され難くなるため好ましくない。また、ｐＨが６．５を超える場合には、鉄、マンガン、ホウ素、銅、亜鉛等の成分が根から吸収され難くなるため好ましくない。なお、この値は培地が固体培地である場合も同様である。
【００３０】
また、本実施形態では、液体培地３における酵母の濃度が０．０５ｗｔ％以上１０ｗｔ％以下であることが好ましい。
【００３１】
植物栽培装置１は、液体培地３における酵母の濃度が０．０５ｗｔ％以上１０ｗｔ％以下であることで、植物の生育を阻害することなく、酵母に含まれる葉酸をはじめとする様々な栄養成分を十分に根から吸収させることができる。ここで、酵母の濃度が０．０５ｗｔ％未満の場合には、栽培する植物の葉酸含有量を十分に高めることが出来ない。また、酵母の濃度が１０ｗｔ％を超える場合には、栽培する植物に過剰に栄養分が供給されて、植物が軟弱となり易い。
【００３２】
なお、本件発明では、培地に含まれる酵母として、酵母を原料として製造された酵母エキスを用いることが好ましい。ここで、酵母エキスとは、酵母の有用な成分を種々の方法（酵素分解、熱水抽出、自己消化等）により抽出したエキスを言う。
【００３３】
酵母エキス中には、アミノ酸、ペプチド、核酸成分、糖類、微量成分のビタミン類やミネラル分等が含まれているため、植物の葉酸吸収性をより高めることができる。なお、本件発明の酵母エキスは、市場で入手可能のものを使用することができるため、栽培コストの低減化を図ることができる。
【００３４】
（液体培地回路）
植物栽培装置１は、図１に示すように、少なくとも培養容器２と、液体培地３を加熱殺菌する加熱装置８と、液体培地３を搬送するポンプ７とを環状に接続して、液体培地３を循環させる液体培地回路１０を備えている。
【００３５】
図１に示す如く、植物栽培装置１は、液体培地回路１０を備え当該液体培地回路１０に設けられている液体培地を搬送する手段としてのポンプ７により液体培地３を循環させることで、培養容器２内の全ての植物２０の根に酵母を十分に行き渡らせることができる。
【００３６】
なお、酵母は培養容器２内の液体培地３中に含まれる雑菌の増殖を助長させることが考えられるが、本実施形態に係る植物栽培装置１によれば、液体培地回路１０は、液体培地を殺菌する手段としての加熱装置８を備えている。これにより、液体培地３中における雑菌の増殖を防ぎ、植物をより健康に栽培することが可能となる。加熱装置８としては、例えば、ヒーター等を例に挙げることができるが、特に限定されるものではない。
【００３７】
また、加熱装置８は、液体培地３に含まれる雑菌の数を、１０４ＣＦＵ／ｇ以下に抑えるよう液体培地３を加熱殺菌することが好ましい。これにより、植物栽培装置１は、植物をより健康に栽培することができる。
【００３８】
更に、本実施形態に係る植物栽培装置１において、加熱装置８は、液体培地３を５５℃以上７０℃以下に加熱処理するものであることが好ましい。これにより、植物栽培装置１は、液体培地３中の栄養成分量を保持したまま、雑菌の増殖を抑えることができる。ここで、加熱処理後の液体培地３の温度が５５℃未満の場合には、雑菌の増殖を十分に抑えることが出来ない。また、加熱処理後の液体培地３の温度が７０℃を超える場合には、培養容器２に液体培地３を移す際の冷却に多大なエネルギーを要するため現実的でない。よって低温殺菌を行うのが望ましい。
【００３９】
また、図１に示すように、植物栽培装置１は、加熱装置８の液体培地送出口付近に加熱処理された液体培地３の温度を測る温度センサ８ａを設けることで、加熱装置８を自動制御して液体培地３を上記温度範囲に調整することができる。なお、温度センサ８ａは、加熱装置８内の液体培地３の温度を計測可能に設けられていてもよいし、その設置位置は特に限定されるものではない。
【００４０】
なお、本実施形態では、植物栽培装置１が液体培地３を殺菌する殺菌装置として加熱装置８を備えている場合を例に挙げて説明したが、本件発明はこれに限定されるものではない。例えば、加熱装置８に換えて銀イオンによる殺菌装置、又は、紫外線による殺菌装置等を備えていてもよいし、加熱装置８と他の殺菌装置とを組み合わせた殺菌装置であってもよい。
【００４１】
また、図１に示すように、植物栽培装置１の備える液体培地回路１０は、加熱装置８により加熱殺菌された後の液体培地３を冷却する手段として、冷却装置９を備えている。本実施形態では、冷却装置９は、加熱殺菌された液体培地３を、１０℃以上２５℃以下に冷却する。
【００４２】
冷却装置９を加熱装置８の下流側に接続して、加熱装置８で加熱された液体培地３を１０℃以上２５℃以下に冷却することで、例え培養容器２と加熱装置８との距離が短くとも、高温となった液体培地３が培養容器２内に到達するのを防ぐことができるため、植物の根を弱らせることがない。ここで、冷却処理後の液体培地３の温度が１０℃未満の場合には、液体培地３に含まれる栄養成分を効率良く植物に供給することが出来ない。また、冷却処理後の液体培地３の温度が２５℃を超える場合には、植物の根を弱体化させてしまい植物が枯れる恐れがある。なお、本実施形態に係る植物栽培装置１では、冷却装置９として、冷却コイル等を備えることができる。
【００４３】
また、図１に示すように、植物栽培装置１は、冷却装置９の液体培地送出口付近に冷却処理された液体培地の温度を測る温度センサ９ａを設けることで、冷却装置９を自動制御して液体培地３を上記温度範囲に調整することができる。もちろん、温度センサ９ａが設けられる位置は、温度センサ８ａと同様特に限定されるものではない。
【００４４】
なお、液体培地３中の雑菌の繁殖を防ぐためには、当該植物栽培装置１が設置される空間内（本実施形態では、植物工場１００内）の雑菌を空気清浄器等を用いて排除することも効果的である。具体的には、当該植物栽培装置１が設置される空間内のクリーン度を、ＩＳＯ規格（ＩＳＯ１４６４４−１：１９９９）でクラス４以上とすることが好ましい。
【００４５】
ちなみに、本実施形態に係る植物栽培装置１は、図１に示すように、植物２０を植物支持パネル４に固定し、人工照明（蛍光ランプ、発光ダイオード等）５の光を照射して植物を栽培する構成を採用することができる。また、植物栽培装置１は、培養容器２よりも上流側に液体培地３を導入する量を調整可能な開閉バルブ１１を備え、培養容器２よりも下流側に液体培地３の肥料濃度やｐＨを調整する液体培地タンク６を備える構成とすることもできる。もちろん、開閉バルブ１１及び液体培地タンク６の設けられる位置は、これに限定されるものではない。
【００４６】
また、本実施形態に係る植物栽培装置１により栽培される植物は、葉物野菜であることが好ましい。植物栽培装置１は、栽培する植物が葉物野菜である場合、葉酸の含有量をより効果的に高めることができる。ここで、葉物野菜が、アブラナ科、キク科、及び、アカザ亜科の少なくともいずれかであれば、更に葉酸の含有量を高めることができるため好ましい。なお、栽培する植物については、後述する。
【００４７】
〔植物栽培方法〕
上述した植物栽培装置１は、これを用いて植物を栽培する植物栽培方法に適用することができる。ここで、本実施形態に係る植物栽培装置１において植物を栽培する方法について簡単に説明する。
【００４８】
本実施形態に係る植物栽培方法は、上記で説明した植物栽培装置１において酵母を含む培地（液体培地３）を用いて植物を生育する工程（以降、酵母使用育成工程とも記載する）を含んでいる。ここで、植物を生育するために用いられる液体培地３に関しては、上述した通りであるため、その説明を省略する。
【００４９】
この植物栽培方法によれば、酵母を含む液体培地３を用いて植物を生育することで、酵母に含まれる葉酸をはじめ、タンパク質、ビタミンＢ群、ビタミンＤ、アミノ酸、ミネラル等の栄養成分を十分に含んだ植物を栽培することができる。
【００５０】
また、本実施形態に係る植物栽培方法において、液体培地３は、植物の成熟期に用いる（すなわち、酵母使用育成工程を植物の成熟期に行う）ことが好ましい。これによれば、栽培する植物の根を液体培地に浸ける時期を植物の成熟期とすることができるため、植物の弱体化を招かない。仮に、育成植物を成長が未熟な段階で酵母を含む液体培地３に浸けると、植物の弱体化を招き、却って生育の妨げとなる場合がある。従って、本実施形態に係る植物栽培方法では、植物が成熟期に満たない段階では液体培地３と隔離された場所で生育させることが望ましい。
【００５１】
また、本件発明に係る植物栽培方法は、液体培地３を殺菌する殺菌工程を含んでいることが好ましく、殺菌工程において加熱による殺菌を行う場合には加熱された液体培地３を冷却する冷却工程を含んでいることが更に好ましい。なお、液体培地３の殺菌や冷却については、上述した通りであるため、その説明を省略する。
【００５２】
〔植物〕
本実施形態に係る植物は、上述したように、植物栽培装置１において、酵母を含む培地を用いて栽培される。
【００５３】
これによれば、本実施形態に係る植物は、上述した本件発明に係る植物栽培装置１により酵母を含んだ培地を用いて栽培されたものであるため、葉酸を多く含むことができる。また、植物は、酵母に含まれる葉酸以外にもタンパク質、ビタミンＢ群、ビタミンＤ、アミノ酸、ミネラル等の栄養成分が十分に取り込まれて栄養価に富んだものとなる。
【実施例】
【００５４】
以上に、本件発明に係る植物栽培装置、植物、植物栽培方法、及び、培地について説明したが、以下に本件発明の実施例を示し、本件発明をより詳細に説明する。なお、本件発明はこれらの例により何ら限定されるものではない。
【００５５】
本実施例では、成熟期の植物の根を酵母濃度の異なる液体培地に浸積させ、所定期間経過後における当該植物の葉酸含有量がどの程度変化するかについて確認を行った。本実施例で確認する植物は、アブラナ科、キク科、及び、アカザ亜科の葉物野菜とし、具体的には、アブラナ科のミズナ、キク科のレタス、アカザ亜科のホウレン草を用いた。なお、これら葉物野菜に含まれる葉酸の測定は、高速液体クロマトグラフィーを用いて行った。
【００５６】
表１には、本実施例で確認するミズナ、レタス、ホウレン草の各葉物野菜について、それぞれ酵母濃度の異なる液体培地に２４時間浸積させた場合の、葉酸含量の変化を示した。表１に示すように、本実施例で用いる液体培地の酵母濃度は、０ｗｔ％、０．１ｗｔ％とした。また、葉酸含有量は、新鮮重量（ＦＷ）当たりの含量で示した。
【００５７】
【表１】
0005763282.tif 000002
【００５８】
表１に示す結果より、ミズナ、レタス、ホウレン草の各葉物野菜は、液体培地に酵母を含ませることで、液体培地に酵母を含まないもの（酵母濃度：０ｗｔ％）と比較して葉酸含有量が著しく高められることが確認できた。特に、レタスに関しては、酵母濃度が０．１ｗｔ％の液体培地に根を２４時間浸すことで、液体培地に酵母を含まないもの（酵母濃度：０ｗｔ％）に比べて葉酸含有量を２倍以上高められることが確認できた。また、ミズナに関しても、酵母濃度が０．１ｗｔ％の液体培地に根を２４時間浸すことで、液体培地に酵母を含まないもの（酵母濃度：０ｗｔ％）に比べて葉酸含有量を約１．２倍以上高められることが確認できた。また、ホウレン草に関しても、酵母濃度が０．１ｗｔ％の液体培地に根を２４時間浸すことで、液体培地に酵母を含まないもの（酵母濃度：０ｗｔ％）に比べて葉酸含有量を約１．３倍程度高められることが確認できた。
【００５９】
ここで、一般的には、畑で栽培される植物に含まれる葉酸が、植物工場で栽培される植物に含まれる葉酸よりも少ないことが一般的である。しかし、本件発明は、上述のように酵母を含む培地により植物を栽培することにより、植物工場で栽培される植物だけでなく、一般的に畑で栽培される植物に含まれる葉酸よりも葉酸含有量の多い植物を栽培することができる。
【００６０】
なお、一般に植物工場で栽培される植物に含まれる葉酸が畑で栽培される植物に含まれる葉酸よりも少なくなる一因としては、例えば植物工場内での人工照明による光合成により生成される葉酸が、太陽光（自然光）による光合成により生成される葉酸よりも少ないことなどが知られている。
【００６１】
しかし、畑で栽培される植物には、いわゆる「旬」の時期があり、植物の葉酸の含有量も、旬の時期とそうでない時期とで、３倍程度の差があるとも言われている。これに対し、本件発明のように、植物工場に設置される植物栽培装置において葉酸の含まれる培地を用いて植物を栽培することにより、年間を通じて葉酸含有量の高い植物を栽培することができる。
【００６２】
また、ミズナについて、酵母濃度が０．１ｗｔ％の液体培地により栽培する期間（表２中では、栽培期間とする）を０時間（ｈ）、２４時間（ｈ）、９６時間（ｈ）として栽培した場合の葉酸含有量の測定結果を表２に、液体培地中の酵母濃度を０ｗｔ％、０．１ｗｔ％、０．５ｗｔ％、１．０ｗｔ％として２４時間栽培した場合の葉酸含有量の測定結果を表３に示す。なお、表２及び表３に示す葉酸含有量は、表１と同様に新鮮重量（ＦＷ）当たりの含量で示した。
【００６３】
【表２】
0005763282.tif 000003
【００６４】
【表３】
0005763282.tif 000004
【００６５】
表２に示すように、酵母を含む培地により栽培する期間を長くすることにより、植物の葉酸の含有量を増やすことができることが確認できた。また、表３に示すように、液体培地中の酵母濃度を高くすることによっても、植物の葉酸の含有量を増やすことができることが確認できた。
【００６６】
従って、本件発明では、酵母を含む培地により栽培する期間、及び、液体培地中の酵母濃度の少なくとも何れかを調整することにより、植物の葉酸含有量をコントロールすることができる。
【００６７】
なお、本実施例では、植物が葉物野菜である場合を例に挙げて説明したが、本件発明はこれに限定されるものではなく、例えば、果菜類（ナス科（ナス、トマト等）及びウリ科（キュウリ、カボチャなど）等）、豆類、スプラウト（もやし、貝割れ大根等）に代表される発芽野菜、果実的野菜（バラ科（イチゴ等）及びウリ科（スイカ、メロン）等）、茎菜類（アスパラガス、ネギ等）、花菜類（ブロッコリー、カリフラワー等）、根菜類等の野菜であればよい。
【００６８】
また、本件発明により栽培される植物は野菜に限定されず、上述の植物栽培装置（又は植物栽培方法）により栽培することのできる果物等でもあってもよい。すなわち、本件発明により栽培される植物は、食用に適する植物であればよい。
【産業上の利用可能性】
【００６９】
本件発明に係る植物栽培装置、植物栽培方法、及び、培地によれば、培地に酵母を含ませるだけで、簡単に葉酸の含有量を高めた植物を栽培することができる。また、本件発明に係る植物栽培装置、植物栽培方法、及び、培地では、葉酸の供給源として自然物である酵母を用いるため、安全性が高く、また、植物の風味に悪影響を及ぼすこともない。従って、本件発明に係る植物は、安価でありながらも葉酸をはじめとした様々な栄養素を豊富に含み、日常食として適したものである。
【符号の説明】
【００７０】
１    植物栽培装置
２    培養容器
３    液体培地
４    植物支持パネル
５    人工照明
６    液体培地タンク
７    ポンプ
８    加熱装置
８ａ  温度センサ
９    冷却装置
９ａ  温度センサ
１０    液体培地回路
１１    開閉バルブ
２０    植物
【要約】
【課題】栽培する植物の葉酸含有量を高めると共に、栽培コストの低減化を図ることのできる植物栽培装置、植物、植物栽培方法、及び、培地を提供することを目的とする。
【解決手段】植物を生育するための酵母を含む培地を収容する培養容器を備えていることを特徴とする植物栽培装置を採用する。特に、当該培地を液体培地とし、この液体培地における酵母の濃度が０．０５ｗｔ％以上１０ｗｔ％以下であることで、植物の生育を阻害することなく、酵母に含まれる葉酸をはじめとする様々な栄養成分を十分に根から吸収させることができる。
【選択図】図１【図１】
0005763282.tif 000005
【図２】
0005763282.tif 000006